(57)【要約】  本発明の一実施形態は、ユーザ端末と通信するドア操作デバイスのアクセス制御方法を提供する。アクセス制御方法は、ドア操作デバイス及びユーザ端末のうちの少なくとも１つからの送信信号に対応する受信信号強度に基づいて、ドア操作デバイスとユーザ端末との間の距離を決定する段階と、ドア操作デバイスとユーザ端末との間の距離が第１距離以内であるか否かを決定する段階と、ドア操作デバイスとユーザ端末との間の距離が第１距離以内であるとき、ドア操作デバイスとユーザ端末との間の通信接続を確立する段階と、ドア操作デバイスとユーザ端末との間の距離が第２距離以内であるか否かを決定する段階と、ドア操作デバイスとユーザ端末との間の距離が第２距離以内であるとき、開放認証情報を取得する段階とを備え得る。
2021533297.tif 000002
【特許請求の範囲】
【請求項１】
ユーザ端末と通信するドア操作デバイスのアクセス制御方法であって、
前記ドア操作デバイス及び前記ユーザ端末のうちの少なくとも１つからの送信信号に対応する受信信号強度に基づいて、前記ドア操作デバイスと前記ユーザ端末との間の距離を決定する段階と、
前記ドア操作デバイスと前記ユーザ端末との間の前記距離が第１距離以内であるか否かを決定する段階と、
前記ドア操作デバイスと前記ユーザ端末との間の前記距離が前記第１距離以内であるとき、前記ドア操作デバイスと前記ユーザ端末との間の通信接続を確立する段階と、
前記ドア操作デバイスと前記ユーザ端末との間の前記距離が第２距離以内であるか否かを決定する段階と、
前記ドア操作デバイスと前記ユーザ端末との間の前記距離が前記第２距離以内であるとき、開放認証情報を取得する段階と、
前記開放認証情報に基づいて、ドアが開放しているか否かを決定する段階と
を備える、アクセス制御方法。
【請求項２】
前記ドア操作デバイスと前記ユーザ端末との間の前記距離が前記第１距離以内であるとき、前記ドア操作デバイスは第１開放認証情報を取得し、前記ドア操作デバイスと前記ユーザ端末との間の前記距離が前記第２距離以内であるとき、前記ドア操作デバイスは第２開放認証情報を取得する、請求項１に記載のアクセス制御方法。
【請求項３】
前記開放認証情報を取得する前記段階は、前記第１距離以内で取得された前記第１開放認証情報及び前記第２距離以内で取得された前記第２開放認証情報を取得する段階を有する、請求項２に記載のアクセス制御方法。
【請求項４】
前記第２距離は前記第１距離より短い、請求項１から３のいずれか一項に記載のアクセス制御方法。
【請求項５】
前記通信接続を確立する前記段階は、
前記ドア操作デバイスが接続認証情報を要求するとき、前記ユーザ端末から前記接続認証情報を取得する段階と、
前記接続認証情報に基づいて、前記ドア操作デバイスと前記ユーザ端末との間の前記通信接続を確立する段階と
を有する、請求項１から４のいずれか一項に記載のアクセス制御方法。
【請求項６】
前記ドア操作デバイスと前記ユーザ端末との間の前記通信接続は、Ｂｌｕｅｔｏｏｔｈ（登録商標）通信接続、Ｗｉ−Ｆｉ（登録商標）通信接続、及びＢＬＥ通信接続のうちの少なくとも１つである、請求項５に記載のアクセス制御方法。
【請求項７】
前記ドア操作デバイスと前記ユーザ端末との間の前記距離が前記第２距離以内であるとき、前記第２開放認証情報を取得することは、前記第２開放認証情報を前記ユーザ端末に要求し、前記要求に応答して前記第２開放認証情報を取得することを含む、請求項２に記載のアクセス制御方法。
【請求項８】
前記開放認証情報は、認証情報、ユーザ識別情報、ユーザ端末識別情報、及びパスワードのうちの少なくとも１つを含む、請求項７に記載のアクセス制御方法。
【請求項９】
前記認証情報は、前記ユーザ端末及びユーザのうちの少なくとも一方が前記ドアを開放することを認証されているか否かに関する情報を含む、請求項８に記載のアクセス制御方法。
【請求項１０】
前記送信信号が前記開放認証情報を含むとき、前記送信信号に対応する前記受信信号強度の最大値に基づいて、前記第２距離を決定するために用いられる基準受信信号強度を調節する段階をさらに備える、請求項１から９のいずれか一項に記載のアクセス制御方法。
【請求項１１】
前記基準受信信号強度を調節する前記段階は、前記送信信号に対応する前記受信信号強度の前記最大値に基づく予め定められた範囲の受信信号強度を前記基準受信信号強度として設定する段階
を有する、請求項１０に記載のアクセス制御方法。
【請求項１２】
ドア操作デバイスからの送信信号に対応する受信信号強度に基づいて、前記ドア操作デバイスとユーザ端末との間の距離を決定する段階と、
前記ドア操作デバイスと前記ユーザ端末との間の前記距離が第１距離以内であるか否かを決定する段階と、
前記ドア操作デバイスと前記ユーザ端末との間の前記距離が前記第１距離以内であるとき、前記ドア操作デバイスと前記ユーザ端末との間の通信接続を確立する段階と、
第１開放認証情報を前記ドア操作デバイスに送信する段階と、
前記ドア操作デバイスと前記ユーザ端末との間の前記距離が第２距離以内であるか否かを決定する段階と、
前記ドア操作デバイスと前記ユーザ端末との間の前記距離が前記第２距離以内であるとき、ドアの開放を要求するために、第２開放認証情報を前記ドア操作デバイスに送信する段階と
を備える、アクセス制御方法。
【請求項１３】
前記ドア操作デバイスと前記ユーザ端末との間の前記距離が前記第２距離以内であるか否かを決定する前記段階は、
前記ドア操作デバイスからの前記送信信号に対応する少なくとも１つの受信信号強度を記憶する段階と、
記憶された前記少なくとも１つの受信信号強度の最大受信信号強度に基づいて、前記第２距離を決定するために用いられる基準受信信号強度を調節する段階と、
を有する、請求項１２に記載のアクセス制御方法。
【請求項１４】
前記ドア操作デバイスと前記ユーザ端末との間の前記距離が前記第２距離以内であるか否かを決定する前記段階は、
前記最大受信信号強度に基づく予め定められた範囲の受信信号強度を前記基準受信信号強度として設定する段階
を有する、請求項１３に記載のアクセス制御方法。
【請求項１５】
コンピュータに、請求項１から１４のいずれか一項に記載のアクセス制御方法を実行させるためのプログラム。
【請求項１６】
ユーザ端末と通信するよう構成されたドア操作デバイスであって、
通信ユニットと、
前記ユーザ端末から送信された信号の強度に基づいて、前記ユーザ端末からの距離を決定し、
前記ユーザ端末からの前記距離が第１距離以内であるとき、前記ユーザ端末と通信接続を確立し、前記通信ユニットを用いて前記通信接続を通じて前記ユーザ端末から第１開放認証情報を取得し、
前記ユーザ端末との間の前記距離が前記第１距離から第２距離に変更されるとき、前記通信ユニットを用いて前記ユーザ端末から第２開放認証情報を取得し、
前記第１開放認証情報及び第２開放認証情報に基づいて、ドアが開放しているか否かを決定する
よう構成される制御ユニットと
を備える、ドア操作デバイス。
【発明の詳細な説明】
【技術分野】
【０００１】
本発明は、アクセス制御システム及びアクセス制御システムを用いるアクセス制御方法に関する。
【背景技術】
【０００２】
建物又は特定のエリアへのアクセスを制御するとき、アクセスを制御すべく、アクセス制御デバイスがユーザ端末に予め記憶された情報を取得し、ドアを開放するか否かを決定することを可能にする技術が用いられる。
【０００３】
この技術を用いるユーザ端末が、従来、カードキー又は同様のものとして実装されてきたが、近年、適用がユーザによって保持されるスマートフォン等の携帯端末にまで徐々に拡大されてきた。
【０００４】
携帯端末を用いてアクセス制御を実行するとき、カードキーが用いられる従来の場合と比較すると、アクセス制御デバイスが、通信接続を確立し、データを取得することによって、ドアを開放するか否かを決定するために必要である情報を携帯端末から取得するにはかなり時間がかかる。結果として、操作が遅いとユーザに感じさせることに従って不便がユーザに生じる。
【発明の概要】
【発明が解決しようとする課題】
【０００５】
本発明は、予め定められた距離で通信接続を確立し、より近い距離でドアを開放するために必要な情報を取得することによって、要求がユーザによって作成されるときに、ドアを開放するために必要な時間に起因してユーザに生じる不便に対処することができるアクセス制御システム及びアクセス制御システムを用いるアクセス制御方法に関する。
【課題を解決するための手段】
【０００６】
本発明の一実施形態は、ユーザ端末と通信するドア操作デバイスのアクセス制御方法を提供する。アクセス制御方法は、ドア操作デバイス及びユーザ端末のうちの少なくとも１つからの送信信号に対応する受信信号強度に基づいて、ドア操作デバイスとユーザ端末との間の距離を決定する段階と、ドア操作デバイスとユーザ端末との間の距離が第１距離以内であるか否かを決定する段階と、ドア操作デバイスとユーザ端末との間の距離が第１距離以内であるとき、ドア操作デバイスとユーザ端末との間の通信接続を確立する段階と、ドア操作デバイスとユーザ端末との間の距離が第２距離以内であるか否かを決定する段階と、ドア操作デバイスとユーザ端末との間の距離が第２距離以内であるとき、開放認証情報を取得する段階と、開放認証情報に基づいて、ドアが開放しているか否かを決定する段階とを備える。
【０００７】
本発明の他の実施形態は、ドア操作デバイスからの送信信号に対応する受信信号強度に基づいて、ドア操作デバイスとユーザ端末との間の距離を決定する段階と、ドア操作デバイスとユーザ端末との間の距離が第１距離以内であるか否かを決定する段階と、ドア操作デバイスとユーザ端末との間の距離が第１距離以内であるとき、ドア操作デバイスとユーザ端末との間の通信接続を確立する段階と、第１開放認証情報をドア操作デバイスに送信する段階と、ドア操作デバイスとユーザ端末との間の距離が第２距離以内であるか否かを決定する段階と、ドア操作デバイスとユーザ端末との間の距離が第２距離以内であるとき、ドアの開放を要求するために、第２開放認証情報をドア操作デバイスに送信する段階とを備えるアクセス制御方法を提供する。
【０００８】
本発明の他の実施形態は、非一時的記録媒体であって、上述の方法を実行するために、非一時的記録媒体に記録されているプログラムを有する、非一時的記録媒体を提供する。
【０００９】
本発明の他の実施形態は、ユーザ端末と通信するよう構成されたドア操作デバイスを提供する。ドア操作デバイスは、通信ユニットと、ユーザ端末から送信された信号の強度に基づいて、ユーザ端末からの距離を決定し、ユーザ端末からの距離が第１距離以内であるとき、ユーザ端末と通信接続を確立し、通信ユニットを用いて通信接続を通じてユーザ端末から第１開放情報を取得し、ユーザ端末との間の距離が第１距離から第２距離に変更されるとき、通信ユニットを用いてユーザ端末から第２開放認証情報を取得し、第１開放認証情報及び第２開放認証情報に基づいて、ドアが開放しているか否かを決定するよう構成された制御ユニットとを備える。
【発明の効果】
【００１０】
一実施形態によれば、予め定められた距離で通信接続を確立し、より近い距離でドアを開放するために必要な情報を取得することによって、要求がユーザによって作成されるときに、ドアを開放するために必要な時間に起因してユーザに生じる不便に対処することができる。
【図面の簡単な説明】
【００１１】
本発明の上記及び他の目的、特徴、及び利点は、添付図面を参照してそれらの例示的な実施形態を詳細に説明することによって、当業者により明らかになるだろう。
【００１２】
【図１】例示的な実施形態による、アクセス制御システムを示す環境図である。
【図２】例示的な実施形態による、ドア操作デバイスを示すブロック図である。
【図３】例示的な実施形態による、ユーザ端末を示すブロック図である。
【図４】例示的な実施形態による、認証サーバを示すブロック図である。
【図５】例示的な実施形態による、ドア操作環境を示す模式図である。
【図６】例示的な実施形態による、ドア操作方法を示すフローチャートである。
【図７】他の例示的な実施形態による、ドア操作方法を示すフローチャートである。
【図８】さらなる他の例示的な実施形態による、ドア操作方法を示すフローチャートである。
【図９】本発明の例示的な実施形態による、可変のエリアの変更を示す例示的な図である。
【発明を実施するための形態】
【００１３】
［本発明の最良の実施形態］
【００１４】
本発明の一実施形態は、ユーザ端末と通信するドア操作デバイスのアクセス制御方法を提供する。アクセス制御方法は、ドア操作デバイス及びユーザ端末のうちの少なくとも１つからの送信信号に対応する受信信号強度に基づいて、ドア操作デバイスとユーザ端末との間の距離を決定する段階と、ドア操作デバイスとユーザ端末との間の距離が第１距離以内であるか否かを決定する段階と、ドア操作デバイスとユーザ端末との間の距離が第１距離以内であるとき、ドア操作デバイスとユーザ端末との間の通信接続を確立する段階と、ドア操作デバイスとユーザ端末との間の距離が第２距離以内であるか否かを決定する段階と、ドア操作デバイスとユーザ端末との間の距離が第２距離以内であるとき、開放認証情報を取得する段階と、開放認証情報に基づいて、ドアが開放しているか否かを決定する段階とを備える。
【００１５】
［本発明の実施形態］
【００１６】
本発明の上述の目的、特徴、及び利点は、添付図面と併用して、以下の詳細な説明からより明らかになるだろう。本発明の例示的な実施形態は、添付図面を参照して以下で詳細に説明されるだろう。本発明は、その例示的な実施形態に関連して示されて説明されるが、様々な変更が本発明の主旨及び範囲から逸脱することなく行われ得ることは、当業者に明らかであろう。
【００１７】
説明の簡潔さ及び明瞭さのために、層及び領域が図において必ずしも正確な比率ではないことが理解されるだろう。要素又は層が他の要素若しくは層の「上に（ｏｎ）」又は「上方に（ｏｖｅｒ）」であると称されるとき、それは、他の要素若しくは層の直上にあってよく、あるいは中間層又は要素が存在してもよいことが理解されるだろう。同様の参照符号は、本明細書を通じて同様の要素を示す。同様の参照符号は、実施形態の図面に示される同一の技術的主旨内で同様の機能の同様の要素を示すことも理解される。
【００１８】
本明細書に組み込まれる周知の機能及び構成の詳細な説明は、それが本発明の主題をいくぶん不明確にし得るとき、除外されるだろう。さらに、本発明の本明細書に用いられる数字（例えば、第１、第２等）は、単に、１つの要素と他の要素を区別するための識別子に過ぎない。
【００１９】
本明細書で用いられるように、接尾語「モジュール（ｍｏｄｕｌｅ）」及び「ユニット（ｕｎｉｔ）」は、本明細書の準備を容易にするために交換可能に追加又は用いられ、はっきりと異なる意味又は機能を示唆することを意図しない。
【００２０】
図１は、例示的な実施形態による、アクセス制御システム１００００を示す環境図である。
【００２１】
図１を参照すると、実施形態によるアクセス制御システム１００００は、ドア操作デバイス１０００、ユーザ端末２０００、及び認証サーバ３０００を含み得る。
【００２２】
一実施形態によれば、ドア操作デバイス１０００は、ユーザ端末２０００に接続され得る。
【００２３】
一実施形態によれば、ドア操作デバイス１０００は、ユーザ端末２０００から開放認証情報を取得し得、取得した開放認証情報に基づいて有効性を決定し得る。さらに、ドア操作デバイス１０００は、有効性の決定の結果に基づいて、ドアを開放するか否かを決定し得る。
【００２４】
一実施形態によれば、ユーザ端末２０００は、ドア操作デバイス１０００に接続され得る。
【００２５】
ユーザ端末２０００は、接続認証情報をドア操作デバイスに送信することによって、ドア操作デバイス１０００と通信接続を確立し得る。
【００２６】
加えて、ユーザ端末２０００は、開放認証情報をドア操作デバイス１０００に送信することによって、ドアを開放することを要求し得る。
【００２７】
代替的に、ユーザ端末２０００は、有効性が決定されるように開放認証情報をドア操作デバイス１０００に送信し得、開放要求情報を送信することによって、ドアを開放することを要求し得る。
【００２８】
認証サーバ３０００は、ユーザ端末２０００に接続され得る。
【００２９】
認証サーバ３０００は、ドアを開放することを要求するためにユーザ端末２０００がドア操作デバイス１０００に送信する開放認証情報を提供し得る。
【００３０】
認証サーバ３０００は、開放認証情報を発行することをユーザ端末２０００によって要求され得る。
【００３１】
加えて、認証サーバ３０００が開放認証情報を発行することをユーザ端末２０００によって要求されるとき、認証サーバ３０００は、ユーザ及び／又は端末が有効なユーザ及び／又は有効なユーザ端末２０００であるか否かを決定するために必要な情報を取得し得る。当該決定の結果として、ユーザ及び／又は端末が有効なユーザ及び／又は有効なユーザ端末２０００であるとき、認証サーバ３０００は、開放認証情報をユーザ端末２０００に発行し得る。
【００３２】
図２は、例示的な実施形態による、ドア操作デバイス１０００を示すブロック図である。
【００３３】
図２を参照すると、ドア操作デバイス１０００は、ドア通信ユニット１１００、ドアディスプレイユニット１２００、ドアセンサユニット１３００、ドア駆動ユニット１４００、ドアストレージユニット１５００、及びドア制御ユニット１６００を含み得る。
【００３４】
ドア通信ユニット１１００は、ユーザ端末２０００からデータを取得することができる通信モジュールであり得る。
【００３５】
本発明のいくつかの実施形態によれば、ドア通信ユニット１１００は、Ｂｌｕｅｔｏｏｔｈ（登録商標）、ＺｉｇＢｅｅ（登録商標）、Ｂｌｕｅｔｏｏｔｈ（登録商標）  Ｌｏｗ  Ｅｎｅｒｇｙ（ＢＬＥ）、又はＲＦＩＤを含む通信技術を用いてユーザ端末２０００からデータを取得し得る。
【００３６】
ドアディスプレイユニット１２００は、視覚情報を出力し得る。
【００３７】
ドアディスプレイユニット１２００は、ユーザに視覚的に提供される情報を出力し得る。ドアディスプレイユニット１２００がタッチパネルを含むとき、ドアディスプレイユニット１２００は、タッチ入力ベースの入力デバイスとして動作し得る。
【００３８】
ドアセンサユニット１３００は、ドアの開放状態の信号を取得し得る。
【００３９】
代替的に、ドアセンサユニット１３００は、ドアの状態を決定するために必要な信号を取得し得る。
【００４０】
ドア駆動ユニット１４００は、ドアに提供されるドア本体をロック又はアンロックするために必要な電力を提供し得る。さらに、ドアが自動ドアとして実装されるとき、ドア駆動ユニット１４００は、ドア本体を開放又は閉めるために必要な電力を提供し得る。
【００４１】
ドアストレージユニット１５００は、ドア制御ユニット１６００の制御動作を実行するためのプログラムを記憶し得、外部から受信したデータ及びドア制御ユニット１６００によって生成されたデータを記憶し得る。
【００４２】
ドア制御ユニット１６００は、ドア操作デバイス１０００の動作全体を制御する。
【００４３】
図３は、例示的な実施形態による、ユーザ端末２０００を示すブロック図である。
【００４４】
図３を参照すると、ユーザ端末２０００は、端末通信ユニット２１００、端末ディスプレイユニット２２００、端末入力ユニット２３００、端末ストレージユニット２４００、及び端末制御ユニット２５００を含み得る。
【００４５】
端末通信ユニット２１００は、ユーザ端末２０００を外部電子デバイスに接続し得る。例えば、端末通信ユニット２１００は、ユーザ端末２０００を、認証サーバ３０００及びドア操作デバイス１０００等の外部電子デバイスに接続し得る。端末通信ユニット２１００は、有線及び／又は無線通信をサポートする通信モジュールであり得る。
【００４６】
端末ディスプレイユニット２２００は、視覚情報を出力し得る。
【００４７】
端末ディスプレイユニット２２００がタッチスクリーンの形態で提供されるとき、端末ディスプレイユニット２２００は、端末入力ユニット２３００の機能を実行し得る。この場合において、別個の端末入力ユニット２３００が選択に応じて提供されない場合があり、音量調節、電力ボタン、及びホームボタン等の限られた機能を実行するための端末入力ユニット２３００が提供される場合がある。
【００４８】
端末入力ユニット２３００は、ユーザ入力に対応する信号を取得し得る。
【００４９】
端末入力ユニット２３００は、例えば、キーボード、キーパッド、ボタン、ジョグシャトル、ホイール、又は同様のものの形態で実装され得る。
【００５０】
ユーザ入力は、例えば、ボタンのプッシュ、タッチ、又はドラッグであり得る。
【００５１】
端末ディスプレイユニット２２００がタッチスクリーンの形態で実装されるとき、端末ディスプレイユニット２２００は、端末入力ユニット２３００としての機能を果たし得る。
【００５２】
端末ストレージユニット２４００は、データを記憶し得る。
【００５３】
端末ストレージユニット２４００は、例えば、フラッシュメモリ、ランダムアクセスメモリ（ＲＡＭ）、リードオンリーメモリ（ＲＯＭ）、ソリッドステートドライブ（ＳＳＤ）、セキュアデジタル（ＳＤ）カード、光ディスク、又は同様のものの形態で実装され得る。
【００５４】
端末ストレージユニット２４００は、ユーザ端末２０００の動作のために必要なデータを記憶し得る。
【００５５】
端末制御ユニット２５００は、ユーザ端末２０００の動作全体を制御し得る。
【００５６】
図４は、例示的な実施形態による、認証サーバ３０００を示すブロック図である。
【００５７】
図４を参照すると、認証サーバ３０００は、サーバ通信ユニット３１００、サーバディスプレイユニット３２００、サーバ入力ユニット３３００、サーバストレージユニット３４００、及びサーバ制御ユニット３５００を含み得る。
【００５８】
サーバ通信ユニット３１００は、認証サーバ３０００を外部電子デバイスに接続し得る。すなわち、サーバ通信ユニット３１００は、データを外部電子デバイスに／から送信／受信し得る。加えて、サーバ通信ユニット３１００は、必要に応じて、ユーザ端末２０００の通信接続を保持又はリリースし得る。サーバ通信ユニット３１００は、一実施形態によるユーザ端末２０００との接続を常に保持するよう提供され得る。
【００５９】
サーバ通信ユニット３１００は、有線通信スキーム及び無線通信スキームのうちの少なくとも１つをサポートする通信モジュールであり得る。
【００６０】
サーバディスプレイユニット３２００は、視覚情報を出力し得る。
【００６１】
例えば、サーバディスプレイユニット３２００は、液晶ディスプレイ（ＬＣＤ）、有機発光ダイオード（ＯＬＥＤ）ディスプレイ、アクティブマトリックスＯＬＥＤ（ＡＭＯＬＥＤ）ディスプレイ、又は同様のものであり得る。
【００６２】
サーバ入力ユニット３３００は、ユーザ入力に対応する電気信号を取得し得る。例えば、サーバ入力ユニット３３００は、キーパッド、キーボード、スイッチ、ボタン、及びタッチスクリーンを含み得る。
【００６３】
サーバストレージユニット３４００は、データを記憶し得る。
【００６４】
例えば、サーバストレージユニット３４００は、ユーザ端末２０００から取得したデータを記憶し得る。他の例において、サーバストレージユニット３４００は、認証サーバ３０００の動作のために必要なプログラムを記憶し得る。
【００６５】
サーバ制御ユニット３５００は、認証サーバ３０００の動作全体を制御し得る。
【００６６】
本発明の認証サーバ３０００は、上述の要素の全てを必ずしも含まず、選択に応じていくつかの要素が除外された状態で提供され得る。例えば、認証サーバ３０００が視覚情報を直接提供しないとき、認証サーバ３０００が、サーバディスプレイユニット３２００なしに提供され得る。認証サーバ３０００は、選択に応じて追加機能及び動作を実行するための要素を追加することによって提供され得る。
【００６７】
図５は、例示的な実施形態による、ドア操作環境を示す模式図である。
【００６８】
図５を参照すると、実施形態によるドア操作環境は、ドア操作デバイス１０００から第１距離Ｄ１内の第１エリアＡ１及びドア操作デバイス１０００から第２距離Ｄ２内の第２エリアＡ２を提供し得る。
【００６９】
一実施形態によれば、第１距離Ｄ１は、第２距離Ｄ２より長くてよい。
【００７０】
一実施形態によれば、第１エリアＡ１及び第２エリアＡ２は、お互いに重なり得る。
【００７１】
例えば、第２エリアＡ２は、第１エリアＡ１の少なくとも一部であり得る。
【００７２】
代替的に、一実施形態によれば、第１エリアＡ１及び第２エリアＡ２は、お互いから分離されている空間であり得る。
【００７３】
例えば、ドア操作デバイス１０００から第２距離Ｄ２内の第２エリアＡ２が提供されてよく、第２エリアＡ２から予め定められた距離内の第１エリアＡ１が提供されてよい。
【００７４】
一実施形態によれば、ユーザ端末２０００は、第１エリアＡ１及び第２エリアＡ２を移動し得る。
【００７５】
以下では、ドア操作方法が図６〜８を参照して説明される。簡潔さのために、ユーザ端末２０００が第１エリアＡ１の外から第１エリアＡ１及び第２エリアＡ２に移動することが想定される。
【００７６】
図６は、例示的な実施形態による、ドア操作方法を示すフローチャートである。
【００７７】
図６を参照すると、ドア操作方法は、ユーザ端末２０００までの距離に関する情報を取得する段階（Ｓ１００）と、ドア操作デバイスとユーザ端末との間の距離２０００が第１距離Ｄ１以内であるか否かを決定する段階（Ｓ１０５）と、接続認証情報を要求する段階（Ｓ１１０）と、接続認証情報を送信する段階（Ｓ１１５）と、通信接続を確立する段階（Ｓ１２０）と、第１開放認証情報を送信する段階（Ｓ１２５）と、ドア操作デバイスとユーザ端末との間の距離２０００が第２距離Ｄ２以内であるか否かを決定する段階（Ｓ１３０）と、第２開放認証情報を要求する段階（Ｓ１３５）と、第２開放認証情報を送信する段階（Ｓ１４０）と、有効性を決定する段階（Ｓ１４５）と、ドアを開放する段階（Ｓ１５０）とを含み得る。
【００７８】
一実施形態によれば、ユーザ端末２０００までの距離に関する情報を取得する段階が実行され得る（Ｓ１００）。
【００７９】
ドア操作デバイス１０００は、ドア操作デバイス１０００とユーザ端末２０００との間の距離に関する情報を取得し得る。
【００８０】
一実施形態によれば、ドア操作デバイス１０００は、受信信号強度インジケータ（ＲＳＳＩ）に基づいて、ドア操作デバイス１０００とユーザ端末２０００との間の距離に関する情報を取得し得る。
【００８１】
例えば、ドア操作デバイス１０００は、ユーザ端末２０００から送信されたアドバタイズパケットに基づいて、ＲＳＳＩを取得し得る。さらに、ドア操作デバイス１０００は、取得したＲＳＳＩに基づいて、ドア操作デバイス１０００とユーザ端末２０００との間の距離に関する情報を取得し得る。
【００８２】
ドア操作デバイス１０００は、通信距離内に配置されているユーザ端末２０００から送信された信号を取得し得、ユーザ端末２０００から送信されて取得した信号のＲＳＳＩを決定し得る。
【００８３】
ドア操作デバイス１０００はまた、ユーザ端末２０００から送信された信号のＲＳＳＩに基づいて、ドア操作デバイスとユーザ端末との間の距離２０００を計算し得る。
【００８４】
例えば、ユーザ端末２０００から送信された信号のＲＳＳＩが１０ｄＢであるとき、ドア操作デバイス１０００は、ドア操作デバイス１０００とユーザ端末２０００との間の距離が１０ｍであることを決定し得る。
【００８５】
上述の距離を計算する方法は、第１距離Ｄ１及び第２距離Ｄ２を決定するために用いられる距離に関する情報を取得する段階に適用され得、これは以下で説明される。
【００８６】
例えば、距離に関する情報を取得する段階は、予め定められたサイクル、データ送信／受信、又は同様のものによって繰り返し実行され得る。加えて、以下で説明される第１距離Ｄ１及び第２距離Ｄ２を決定するときの距離情報を取得すべく、上述の距離に関する情報を取得する段階（Ｓ１００）は、予め実行され得る。
【００８７】
さらに、上述の距離に関する情報を取得するときに、ＲＳＳＩは、通信接続状況に応じて異なるデータに基づいて取得され得る。
【００８８】
例えば、ドア操作デバイス１０００とユーザ端末２０００との間の通信接続より前に、ＲＳＳＩは、ドア操作デバイス１０００及びユーザ端末２０００のうちの１つによって送信されたアドバタイズパケットによって取得され得、距離に関する情報は、取得したＲＳＳＩに基づいて取得され得る。
【００８９】
他の例として、ドア操作デバイス１０００とユーザ端末２０００との間の通信接続が保持されるとき、距離情報がドア操作デバイス１０００とユーザ端末２０００との間のデータ送信及び／又は受信において受信された信号の強度に基づいて取得され得る。
【００９０】
一実施形態によれば、距離が第１距離Ｄ１以内であるか否かを決定する段階が実行され得る（Ｓ１０５）。
【００９１】
実施形態によるドア操作デバイス１０００は、ＲＳＳＩに基づいて取得したドア操作デバイス１０００とユーザ端末２０００との間の距離が第１距離Ｄ１以内であるか否かを決定し得る。
【００９２】
例えば、第１距離Ｄ１が１５ｍであり、ドア操作デバイス１０００とユーザ端末２０００との間の距離が１０ｍであるとき、ドア操作デバイス１０００は、ユーザ端末２０００が第１距離Ｄ１内に配置されていることを決定し得る。
【００９３】
一実施形態によれば、接続認証情報を要求する段階が実行され得る（Ｓ１１０）。
【００９４】
一実施形態によれば、ユーザ端末２０００が第１距離Ｄ１内に配置されているとき、ドア操作デバイス１０００は、ユーザ端末２０００に接続認証情報を要求し得る。
【００９５】
接続認証情報は、ドア操作デバイス１０００及びユーザ端末２０００が通信接続を確立するために必要な情報であり得る。
【００９６】
例えば、接続認証情報は、通信ＩＤ、暗号化鍵、及び媒体アクセス制御（ＭＡＣ）アドレス等の通信接続に必要な情報であり得る。
【００９７】
一実施形態によれば、接続認証情報を送信する段階が実行され得る（Ｓ１１５）。
【００９８】
一実施形態によれば、ユーザ端末２０００は、接続認証情報をドア操作デバイス１０００に送信し得る。
【００９９】
一実施形態によれば、ユーザ端末２０００は、ドア操作デバイス１０００からの接続認証情報の送信の要求で、接続認証情報をドア操作デバイス１０００に送信し得る。
【０１００】
一実施形態によれば、通信接続を確立する段階が実行され得る（Ｓ１２０）。
【０１０１】
一実施形態によれば、ドア操作デバイス１０００は、ユーザ端末２０００と通信接続を確立し得る。
【０１０２】
例えば、通信接続は、ドア操作デバイス１０００のドア通信ユニット１１００とユーザ端末２０００の端末通信ユニット２１００との間で確立され得る。
【０１０３】
一実施形態によれば、ドア操作デバイス１０００のドア通信ユニット１１００及びユーザ端末２０００の端末通信ユニット２１００はＢＬＥ通信モジュールであってよく、ドア操作デバイス１０００とユーザ端末２０００との間の通信接続はＢＬＥ通信接続であってよい。
【０１０４】
ドア操作デバイス１０００は、ユーザ端末２０００との通信を保持し得る。
【０１０５】
一実施形態によれば、ドア操作デバイス１０００は、ユーザ端末２０００が第１エリアＡ１の外に移動するまで通信を保持し得る。
【０１０６】
一実施形態によれば、第１開放認証情報を送信する段階が実行され得る（Ｓ１２５）。
【０１０７】
開放認証情報は、ユーザ端末２０００及び／又はユーザ端末２０００のユーザがドアを開放することを認証された有効な端末及び／又はユーザであるか否かを決定するために必要な情報であり得る。
【０１０８】
一実施形態によれば、開放認証情報は、認証情報、ユーザ識別情報、ユーザ端末識別情報、及びパスワードのうちの少なくとも１つを含み得る。
【０１０９】
認証情報は、ドアを開放する権限が割り当てられているか否かに関する情報であり得る。
【０１１０】
ユーザ識別情報は、ユーザに割り当てられた識別情報であり得る。
【０１１１】
ユーザ端末識別情報は、ユーザ端末２０００に割り当てられた識別情報であり得る。例えば、ユーザ端末識別情報は、ユーザ端末に割り当てられたＩＤ、モデル名、シリアルナンバー、及び通信番号を含み得る。
【０１１２】
パスワードは、マッチングに基づいて有効性を決定するために用いられ得る情報であり得る。例えば、パスワードは、数字及び文字のうちの少なくとも１つを含む鍵であり得る。他の例として、パスワードは、バイオメトリック情報であり得る。
【０１１３】
開放認証情報は、第１開放認証情報及び第２開放認証情報を含み得る。
【０１１４】
第１開放認証情報は、開放認証情報のデータパケット全体の少なくとも一部であり得る。加えて、第２開放認証情報は、第１開放認証情報を除いたデータパケットの残存部分であり得る。
【０１１５】
一実施形態によれば、第１開放認証情報のデータパケットのサイズは、第２開放認証情報のデータパケットのサイズより大きくてよい。
【０１１６】
加えて、第１開放認証情報に含まれるデータパケットは、第２開放認証情報に含まれるデータパケットとは異なっていてよい。
【０１１７】
さらに、選択に応じて、第１開放認証情報に含まれるデータパケットの一部は、第２開放認証情報に含まれるデータパケットの一部と同一であり得る。
【０１１８】
したがって、第１開放認証情報に含まれるデータパケットは、第２開放認証情報に含まれるデータパケットとは少なくとも部分的に異なっていてよい。
【０１１９】
開放認証情報が第１開放認証情報及び第２開放認証情報を含むことが説明されてきたが、実施形態はそれに限定されない。第１開放認証情報及び第２開放認証情報は、細分化され得る。例えば、第１開放認証情報は１−１番目の開放認証情報及び１−２番目の開放認証情報に細分化されてよく、第２開放認証情報は２−１番目の開放認証情報及び２−２番目の開放認証情報に細分化されてよい。
【０１２０】
代替的に、第１開放認証情報は開放認証情報を暗号化することによって取得されるデータであってよく、第２開放認証情報は第１開放認証情報をデコードし、開放認証情報を取得するために必要な暗号化鍵として提供され得る。
【０１２１】
一実施形態によれば、ユーザ端末２０００は、第１開放認証情報をドア操作デバイス１０００に送信し得る。
【０１２２】
一実施形態によれば、ユーザ端末２０００は、ドア操作デバイス１０００からの第１開放認証情報要求に基づいて、第１開放認証情報をドア操作デバイス１０００に送信し得る。
【０１２３】
一実施形態によれば、第１開放認証情報及び第２開放認証情報は、ユーザ端末２０００に個別に予め記憶され得る。
【０１２４】
ユーザ端末２０００は、ドア操作デバイス１０００に、個別に予め記憶された第１開放認証情報と第２開放認証情報との間の第１開放認証情報を送信し得る。
【０１２５】
代替的に、一実施形態によれば、第１開放認証情報及び第２開放認証情報は、ユーザ端末２０００に記憶された開放認証情報に統合され得る。
【０１２６】
ユーザ端末２０００は、開放認証情報から予め定められたデータパケットを分離することによって第１開放認証情報を取得し得、取得した第１開放認証情報をドア操作デバイス１０００に送信し得る。
【０１２７】
代替的に、ユーザ端末２０００は、開放認証情報から予め定められたサイズのデータパケットを分離することによって第１開放認証情報を取得し得、取得した第１開放認証情報をドア操作デバイス１０００に送信し得る。
【０１２８】
一実施形態によれば、距離が第２距離Ｄ２以内であるか否かを決定する段階が実行され得る（Ｓ１３０）。
【０１２９】
一実施形態によれば、ドア操作デバイス１０００は、ドア操作デバイス１０００とユーザ端末２０００との間に確立された通信接続を用いてユーザ端末２０００からデータパケットを取得する時のＲＳＳＩに基づいて、ドア操作デバイス１０００とユーザ端末２０００との間の距離を決定し得る。
【０１３０】
一実施形態によるドア操作デバイス１０００は、ＲＳＳＩに基づいて取得したドア操作デバイス１０００とユーザ端末２０００との間の距離が第２距離Ｄ２以内であるか否かを決定し得る。
【０１３１】
例えば、第２距離Ｄ２が１ｍであり、ドア操作デバイス１０００とユーザ端末２０００との間の距離が３０ｃｍであるとき、ドア操作デバイス１０００は、ユーザ端末２０００が第２距離Ｄ２内に配置されていることを決定し得る。
【０１３２】
一実施形態によれば、第２開放認証情報を要求する段階が実行され得る（Ｓ１３５）。
【０１３３】
一実施形態によれば、ユーザ端末２０００が第２距離Ｄ２内に配置されているとき、ドア操作デバイス１０００は、ユーザ端末２０００に開放認証情報を要求し得る。
【０１３４】
一実施形態によれば、第２開放認証情報を送信する段階が実行され得る（Ｓ１４０）。
【０１３５】
一実施形態によれば、ユーザ端末２０００は、第２開放認証情報をドア操作デバイス１０００に送信し得る。
【０１３６】
一実施形態によれば、ユーザ端末２０００は、ドア操作デバイス１０００からの第２開放認証情報の送信の要求で、第２開放認証情報をドア操作デバイス１０００に送信し得る。
【０１３７】
一実施形態によれば、有効性を決定する段階が実行され得る（Ｓ１４５）。
【０１３８】
一実施形態によれば、ドア操作デバイス１０００は、ドア操作デバイス１０００とユーザ端末２０００との間の第１距離Ｄ１で取得した第１開放認証情報、及び、ドア操作デバイス１０００とユーザ端末２０００との間の第２距離Ｄ２で取得した第２開放認証情報に基づいて開放認証情報を取得し得る。
【０１３９】
一実施形態によれば、ドア操作デバイス１０００は、第１開放認証情報及び第２開放認証情報を統合することによって開放認証情報を取得し得る。
【０１４０】
一実施形態によれば、ドア操作デバイス１０００は、第２開放認証情報に含まれる暗号化鍵を用いて第１開放認証情報をデコードすることによって開放認証情報を取得し得る。
【０１４１】
上述のように、ユーザ端末２０００は、第１距離Ｄ１で開放認証情報全体を送信するのではなく第１距離Ｄ１で開放認証情報の一部をドア操作デバイス１０００に提供し得、距離Ｄ２で第１開放認証情報を除いた開放認証情報の残存部分を提供し得る。有効性を決定する前に開放認証情報の一部を送信することによって、データ送信に必要な時間が減少し得る。さらに、開放認証情報のリークが回避され得る。
【０１４２】
一実施形態によれば、ドア操作デバイス１０００がユーザ端末２０００から開放認証情報を取得するとき、それは開放認証情報が有効であるか否かを決定し得る。
【０１４３】
開放認証情報が有効であるか否かを決定することは、それ自身の開放認証情報が有効であるか否かを決定すること、開放認証情報に基づいてユーザが有効であるか否かを決定すること、及び、開放認証情報に基づいてユーザ端末２０００が有効であるか否かを決定することのうちの少なくとも１つを含み得る。
【０１４４】
一実施形態によれば、有効性を決定することは、ドアを開放するか否かを決定する動作であり得る。
【０１４５】
ドア操作デバイス１０００は、開放認証情報に基づいて有効性を決定し得る。
【０１４６】
ドア操作デバイス１０００は、開放認証情報に含まれる認証情報、ユーザ識別情報、ユーザ端末識別情報、及びパスワードのうちの少なくとも１つに基づいて有効性を決定し得る。
【０１４７】
一実施形態によれば、ドア操作デバイス１０００は、ドアを開放する権限が割り当てられていることを示す情報が認証情報に含まれているとき、開放認証情報が有効であることを決定し得る。
【０１４８】
一実施形態によれば、ドア操作デバイス１０００は、ユーザ識別情報及び／又はユーザ端末識別情報が予め登録されたユーザ識別情報及び／又はユーザ端末識別情報に一致するとき、開放認証情報が有効であることを決定し得る。
【０１４９】
一実施形態によれば、ドア操作デバイス１０００は、開放認証情報に含まれるパスワードが予め記憶されたパスワードに一致することが決定されるとき、開放認証情報が有効であることを決定し得る。
【０１５０】
代替的に、一実施形態によれば、ドア操作デバイス１０００は、ユーザ識別情報、ユーザ端末識別情報、及びパスワードのうちの少なくとも１つに基づいて有効性を決定し得、認証情報に基づいてドアを開放する権限が割り当てられているか否かを決定することによってドアを開放するか否かを決定し得る。
【０１５１】
例えば、ドア操作デバイス１０００が、ユーザ識別情報、ユーザ端末識別情報、及びパスワードのうちの少なくとも１つに基づいて有効性を決定した結果として開放認証情報が有効であることを決定したとき、ドア操作デバイス１０００は、開放認証情報に含まれる認証情報をさらに考慮してドアの開放を制御するか否かを決定し得る。  ドア操作デバイス１０００は、認証情報がドアを開放する権限を含むことを決定するとすぐにドアを開放することを決定し得る。
【０１５２】
一実施形態によれば、ドアを開放する段階が実行され得る（Ｓ１５０）。
【０１５３】
一実施形態によれば、ドア操作デバイス１０００は、認証結果として開放認証情報が有効であるとき、ドアを開放する制御動作を実行し得る。
【０１５４】
一実施形態によれば、ドア操作デバイス１０００は、認証結果として開放認証情報が有効であり、ドアを開放する権限が割り当てられているとき、ドアを開放する制御動作を実行し得る。
【０１５５】
認証結果として開放認証情報が有効であるとき、ドア操作デバイス１０００は、ドアがアンロックになるように、ドア駆動ユニットを通じて電力を提供し得る。
【０１５６】
図７は、他の例示的な実施形態による、ドア操作方法を示すフローチャートである。
【０１５７】
図７を参照すると、ドア操作方法は、ドア操作デバイスまでの距離に関する情報を取得する段階（Ｓ２００）と、距離がＤ１以内であるか否かを決定する段階（Ｓ２１０）と、接続認証情報を送信する段階（Ｓ１１５）と、通信接続を確立する段階（Ｓ１２０）と、第１開放認証情報を送信する段階（Ｓ１２５）と、距離がＤ２以内か否かを決定する段階（Ｓ２２０）と、第２開放認証情報を送信する段階（Ｓ１４０）と、有効性を決定する段階（Ｓ１８０）と、ドアを開放する段階（Ｓ１９０）とを含み得る。
【０１５８】
一実施形態によれば、ドア操作デバイス１０００までの距離に関する情報を取得する段階が実行され得る（Ｓ２００）。
【０１５９】
一実施形態によれば、ユーザ端末２０００は、ドア操作デバイス１０００とユーザ端末２０００との間の距離に関する情報を取得し得る。
【０１６０】
一実施形態によれば、ユーザ端末２０００は、受信信号強度インジケーション（ＲＳＳＩ）に基づいて、ドア操作デバイス１０００とユーザ端末２０００との間の距離に関する情報を取得し得る。
【０１６１】
例えば、ユーザ端末２０００は、ドア操作デバイス１０００から送信されたアドバタイズパケットに基づいて、ＲＳＳＩを取得し得る。さらに、ドア操作デバイス１０００とユーザ端末２０００との間の距離に関する情報が、取得したＲＳＳＩに基づいて取得され得る。
【０１６２】
ユーザ端末２０００は、通信距離内に配置されているドア操作デバイス１０００から送信された信号を取得し得、ドア操作デバイス１０００から送信されて取得した信号のＲＳＳＩを決定し得る。
【０１６３】
さらに、ユーザ端末２０００は、ドア操作デバイス１０００から送信された信号のＲＳＳＩに基づいて、ドア操作デバイス１０００とユーザ端末２０００との間の距離を計算し得る。
【０１６４】
例えば、ドア操作デバイス１０００から送信された信号のＲＳＳＩが１０ｄＢであるとき、ユーザ端末２０００は、ドア操作デバイス１０００とユーザ端末２０００との間の距離が１０ｍであることを決定し得る。
【０１６５】
一実施形態によれば、ドア操作デバイス１０００とユーザ端末２０００との間の距離が第１距離Ｄ１以内であるか否かを決定する段階が実行され得る（Ｓ２１０）。
【０１６６】
実施形態によるユーザ端末２０００は、ＲＳＳＩに基づいて取得したドア操作デバイス１０００とユーザ端末２０００との間の距離が第１距離Ｄ１以内であるか否かを決定し得る。
【０１６７】
例えば、第１距離Ｄ１が１５ｍであり、ドア操作デバイス１０００とユーザ端末２０００との間の距離が１０ｍであるとき、ユーザ端末２０００は、ドア操作デバイス１０００が第１距離Ｄ１内に配置されていることを決定し得る。
【０１６８】
一実施形態によれば、接続認証情報を送信する段階が実行され得る（Ｓ１１５）。
【０１６９】
一実施形態によれば、ユーザ端末２０００は、接続認証情報をドア操作デバイス１０００に送信し得る。
【０１７０】
一実施形態によれば、ユーザ端末２０００は、ドア操作デバイス１０００からの接続認証情報の送信の要求で、接続認証情報をドア操作デバイス１０００に送信し得る。
【０１７１】
一実施形態によれば、通信接続を確立する段階が実行され得る（Ｓ１２０）。
【０１７２】
一実施形態によれば、ユーザ端末２０００は、ドア操作デバイス１０００と通信接続を確立し得る。
【０１７３】
例えば、通信接続が、ユーザ端末２０００の端末通信ユニット２１００とドア操作デバイス１０００のドア通信ユニット１１００との間で確立され得る。
【０１７４】
一実施形態によれば、ユーザ端末２０００の端末通信ユニット２１００及びドア操作デバイス１０００のドア通信ユニット１１００はＢＬＥ通信モジュールであってよく、ユーザ端末２０００とドア操作デバイス１０００との間の通信接続はＢＬＥ通信接続であってよい。
【０１７５】
ユーザ端末２０００は、ドア操作デバイス１０００との通信を保持し得る。
【０１７６】
一実施形態によれば、ユーザ端末２０００は、ドア操作デバイス１０００とユーザ端末２０００との間の距離が第１距離Ｄ１を超えるまで通信を保持し得る。
【０１７７】
一実施形態によれば、第１開放認証情報を送信する段階が実行され得る（Ｓ１２５）。
【０１７８】
開放認証情報は、ユーザ端末２０００及び／又はユーザ端末２０００のユーザがドアを開放することを認証された有効な端末及び／又はユーザであるか否かを決定するために必要な情報であり得る。
【０１７９】
一実施形態によれば、開放認証情報は、認証情報、ユーザ識別情報、ユーザ端末識別情報、及びパスワードのうちの少なくとも１つを含み得る。
【０１８０】
認証情報は、ドアを開放する権限が割り当てられているか否かに関する情報であり得る。
【０１８１】
ユーザ識別情報は、ユーザに割り当てられた識別情報であり得る。
【０１８２】
ユーザ端末識別情報は、ユーザ端末２０００に割り当てられた識別情報であり得る。例えば、ユーザ端末識別情報は、ユーザ端末に割り当てられたＩＤ、モデル名、シリアルナンバー、通信番号を含み得る。
【０１８３】
パスワードは、マッチングに基づいて有効性を決定するために用いられ得る情報であり得る。例えば、パスワードは、数字及び文字のうちの少なくとも１つを含む鍵であり得る。他の例として、パスワードは、バイオメトリック情報であり得る。
【０１８４】
開放認証情報は、第１開放認証情報及び第２開放認証情報を含み得る。
【０１８５】
第１開放認証情報は、開放認証情報のデータパケット全体の少なくとも一部であり得る。加えて、第２開放認証情報は、第１開放認証情報を除いたデータパケットの残存部分であり得る。
【０１８６】
一実施形態によれば、第１開放認証情報のデータパケットのサイズは、第２開放認証情報のデータパケットのサイズより大きくてよい。
【０１８７】
加えて、第１開放認証情報に含まれるデータパケットは、第２開放認証情報に含まれるデータパケットとは異なっていてよい。
【０１８８】
さらに、選択に応じて、第１開放認証情報に含まれるデータパケットの一部は、第２開放認証情報に含まれるデータパケットの一部と同一であり得る。
【０１８９】
したがって、第１開放認証情報に含まれるデータパケットは、第２開放認証情報に含まれるデータパケットとは少なくとも部分的に異なっていてよい。
【０１９０】
開放認証情報が第１開放認証情報及び第２開放認証情報を含むことが説明されてきたが、実施形態はそれに限定されない。第１開放認証情報及び第２開放認証情報は、細分化され得る。例えば、第１開放認証情報は１−１番目の開放認証情報及び１−２番目の開放認証情報に細分化されてよく、第２開放認証情報は２−１番目の開放認証情報及び２−２番目の開放認証情報に細分化されてよい。
【０１９１】
代替的に、第１開放認証情報は開放認証情報を暗号化することによって取得されたデータであってよく、第２開放認証情報は第１開放認証情報をデコードし、開放認証情報を取得するために必要な暗号化鍵として提供され得る。
【０１９２】
一実施形態によれば、ユーザ端末２０００は、第１開放認証情報をドア操作デバイス１０００に送信し得る。
【０１９３】
一実施形態によれば、ユーザ端末２０００は、ドア操作デバイス１０００からの第１開放認証情報要求に基づいて、第１開放認証情報をドア操作デバイス１０００に送信し得る。
【０１９４】
一実施形態によれば、第１開放認証情報及び第２開放認証情報は、ユーザ端末２０００に個別に予め記憶され得る。
【０１９５】
ユーザ端末２０００は、ドア操作デバイス１０００に、個別に予め記憶された第１開放認証情報と第２開放認証情報との間の第１開放認証情報を送信し得る。
【０１９６】
代替的に、一実施形態によれば、第１開放認証情報及び第２開放認証情報は、ユーザ端末２０００に記憶された開放認証情報に統合され得る。
【０１９７】
ユーザ端末２０００は、開放認証情報から予め定められたデータパケットを分離することによって第１開放認証情報を取得し得、取得した第１開放認証情報をドア操作デバイス１０００に送信し得る。
【０１９８】
代替的に、ユーザ端末２０００は、開放認証情報から予め定められたサイズのデータパケットを分離することによって第１開放認証情報を取得し得、取得した第１開放認証情報をドア操作デバイス１０００に送信し得る。
【０１９９】
一実施形態によれば、ドア操作デバイス１０００までの距離が第２距離Ｄ２以内であるか否かを決定する段階が実行され得る（Ｓ２２０）。
【０２００】
一実施形態によれば、ユーザ端末２０００は、ドア操作デバイス１０００とユーザ端末２０００との間に確立された通信接続を用いてドア操作デバイス１０００からデータパケットを取得する時のＲＳＳＩに基づいて、ドア操作デバイス１０００とユーザ端末２０００との間の距離を決定し得る。
【０２０１】
一実施形態によるユーザ端末２０００は、ＲＳＳＩに基づいて取得したドア操作デバイス１０００とユーザ端末２０００との間の距離が第２距離Ｄ２以内であるか否かを決定し得る。
【０２０２】
例えば、第２距離Ｄ２が１ｍであり、ドア操作デバイス１０００とユーザ端末２０００との間の距離が３０ｃｍであるとき、ユーザ端末２０００は、ドア操作デバイス１０００が第２距離Ｄ２内に配置されていることを決定し得る。
【０２０３】
一実施形態によれば、第２開放認証情報を送信する段階が実行され得る（Ｓ１４０）。
【０２０４】
一実施形態によれば、ユーザ端末２０００は、第２開放認証情報をドア操作デバイス１０００に送信し得る。
【０２０５】
一実施形態によれば、ユーザ端末２０００は、ドア操作デバイス１０００からの第２開放認証情報の送信の要求で、第２開放認証情報をドア操作デバイス１０００に送信し得る。
【０２０６】
一実施形態によれば、有効性を決定する段階が実行され得る（Ｓ１８０）。
【０２０７】
一実施形態によれば、ドア操作デバイス１０００は、ドア操作デバイス１０００とユーザ端末２０００との間の第１距離Ｄ１で取得した第１開放認証情報、及び、ドア操作デバイス１０００とユーザ端末２０００との間の第２距離Ｄ２で取得した第２開放認証情報に基づいて開放認証情報を取得し得る。
【０２０８】
一実施形態によれば、ドア操作デバイス１０００は、第１開放認証情報及び第２開放認証情報を統合することによって、開放認証情報を取得し得る。
【０２０９】
一実施形態によれば、ドア操作デバイス１０００は、第２開放認証情報に含まれる暗号化鍵を用いて第１開放認証情報をデコードすることによって開放認証情報を取得し得る。
【０２１０】
一実施形態によれば、ドア操作デバイス１０００がユーザ端末２０００から開放認証情報を取得するとき、それは開放認証情報が有効であるか否かを決定し得る。
【０２１１】
開放認証情報が有効であるか否かを決定することは、それ自身の開放認証情報が有効であるか否かを決定すること、開放認証情報に基づいてユーザが有効であるか否かを決定すること、及び、開放認証情報に基づいてユーザ端末２０００が有効であるか否かを決定することを含み得る。
【０２１２】
一実施形態によれば、有効性を決定することは、ドアを開放するか否かを決定する動作であり得る。
【０２１３】
ドア操作デバイス１０００は、開放認証情報に基づいて有効性を決定し得る。
【０２１４】
ドア操作デバイス１０００は、開放認証情報に含まれる認証情報、ユーザ識別情報、ユーザ端末識別情報、及びパスワードのうちの少なくとも１つに基づいて有効性を決定し得る。
【０２１５】
一実施形態によれば、ドア操作デバイス１０００は、ドアを開放する権限が割り当てられていることを示す情報が認証情報に含まれているとき、開放認証情報が有効であることを決定し得る。
【０２１６】
一実施形態によれば、ドア操作デバイス１０００は、ユーザ識別情報及び／又はユーザ端末識別情報が予め登録されたユーザ識別情報及び／又はユーザ端末識別情報に一致するとき、開放認証情報が有効であることを決定し得る。
【０２１７】
一実施形態によれば、ドア操作デバイス１０００は、開放認証情報に含まれるパスワードが予め記憶されたパスワードに一致することが決定されるとき、開放認証情報が有効であることを決定し得る。
【０２１８】
代替的に、一実施形態によれば、ドア操作デバイス１０００は、ユーザ識別情報、ユーザ端末識別情報、及びパスワードのうちの少なくとも１つに基づいて有効性を決定し得、認証情報に基づいてドアを開放する権限が割り当てられているか否かを決定することによってドアを開放するか否かを決定し得る。
【０２１９】
例えば、ユーザ識別情報、ユーザ端末識別情報、及びパスワードのうちの少なくとも１つに基づいて有効性を決定した結果として開放認証情報が有効であるとき、ドア操作デバイス１０００は、開放認証情報に含まれる認証情報をさらに考慮してドアの開放を制御するか否かを決定し得る。ドア操作デバイス１０００は、認証情報がドアを開放する権限を含むことを決定するとすぐにドアを開放することを決定し得る。
【０２２０】
一実施形態によれば、ドアを開放する段階が実行され得る（Ｓ１９０）。
【０２２１】
一実施形態によれば、ドア操作デバイス１０００は、開放認証情報が認証結果として有効であるとき、ドアを開放する制御動作を実行し得る。
【０２２２】
一実施形態によれば、ドア操作デバイス１０００は、開放認証情報が認証結果として有効であり、ドアを開放する権限が割り当てられているとき、ドアを開放する制御動作を実行し得る。
【０２２３】
開放認証情報が認証結果として有効であるとき、ドア操作デバイス１０００は、ドアがアンロックになるように、ドア駆動ユニットを通じて電力を提供し得る。
【０２２４】
図８は、さらなる他の例示的な実施形態による、ドア操作方法を示すフローチャートである。
【０２２５】
図８を参照すると、ドア操作方法は、ユーザ端末２０００までの距離に関する情報を取得する段階（Ｓ１００）と、距離がＤ１以内であるか否かを決定する段階（Ｓ１１０）と、接続認証情報を要求する段階（Ｓ１２０）と、接続認証情報を送信する段階（Ｓ１３０）と、通信接続を確立する段階（Ｓ１４０）と、開放認証情報を送信する段階（Ｓ１７０）と、有効性を決定する段階（Ｓ１８０）と、開放対象を登録する段階（Ｓ３００）と、距離がＤ２以内であるか否かを決定する段階（Ｓ２５０）と、開放要求情報を送信する段階（Ｓ３１０）と、対象が開放対象であるか否かを決定する段階（Ｓ３２０）と、ドアを開放する段階（Ｓ１９０）とを含み得る。
【０２２６】
一実施形態によれば、ユーザ端末までの距離に関する情報を取得する段階が実行され得る（Ｓ１００）。
【０２２７】
ドア操作デバイス１０００は、ドア操作デバイス１０００とユーザ端末２０００との間の距離に関する情報を取得し得る。
【０２２８】
一実施形態によれば、ドア操作デバイス１０００は、受信信号強度インジケータ（ＲＳＳＩ）に基づいて、ドア操作デバイス１０００とユーザ端末２０００との間の距離に関する情報を取得し得る。
【０２２９】
例えば、ドア操作デバイス１０００は、ユーザ端末２０００から送信されたアドバタイズパケットに基づいて、ＲＳＳＩを取得し得る。さらに、ドア操作デバイス１０００は、取得したＲＳＳＩに基づいて、ドア操作デバイス１０００とユーザ端末２０００との間の距離に関する情報を取得し得る。
【０２３０】
ドア操作デバイス１０００は、通信距離内に配置されているユーザ端末２０００から送信された信号を取得し得、ユーザ端末２０００から送信されて取得した信号のＲＳＳＩを決定し得る。
【０２３１】
加えて、ドア操作デバイス１０００は、ユーザ端末２０００から送信された信号のＲＳＳＩに基づいて、ドア操作デバイスとユーザ端末との間の距離２０００を計算し得る。
【０２３２】
例えば、ユーザ端末２０００から送信された信号のＲＳＳＩが１０ｄＢであるとき、ドア操作デバイス１０００は、ドア操作デバイス１０００とユーザ端末２０００との間の距離が１０ｍであることを決定し得る。
【０２３３】
一実施形態によれば、ユーザ端末２０００までの距離が第１距離Ｄ１以内であるか否かを決定する段階が実行され得る（Ｓ１１０）。
【０２３４】
実施形態によるドア操作デバイス１０００は、ＲＳＳＩに基づいて取得したドア操作デバイス１０００とユーザ端末２０００との間の距離が第１距離Ｄ１以内であるか否かを決定し得る。
【０２３５】
例えば、第１距離Ｄ１が１５ｍであり、ドア操作デバイス１０００とユーザ端末２０００との間の距離が１０ｍであるとき、ドア操作デバイス１０００は、ユーザ端末２０００が第１距離Ｄ１内に配置されていることを決定し得る。
【０２３６】
一実施形態によれば、接続認証情報を要求する段階が実行され得る（Ｓ１２０）。
【０２３７】
一実施形態によれば、ユーザ端末２０００が第１距離Ｄ１内に配置されているとき、ドア操作デバイス１０００は、ユーザ端末２０００に接続認証情報を要求し得る。
【０２３８】
接続認証情報は、ドア操作デバイス１０００及びユーザ端末２０００が通信接続を確立するために必要な情報であり得る。
【０２３９】
例えば、接続認証情報は、通信ＩＤ、暗号化鍵、及びＭＡＣアドレス等の通信接続に必要な情報であり得る。
【０２４０】
一実施形態によれば、接続認証情報を送信する段階が実行され得る（Ｓ１３０）。
【０２４１】
一実施形態によれば、ユーザ端末２０００は、接続認証情報をドア操作デバイス１０００に送信し得る。
【０２４２】
一実施形態によれば、ユーザ端末２０００は、ドア操作デバイス１０００からの接続認証情報の送信の要求で、接続認証情報をドア操作デバイス１０００に送信し得る。
【０２４３】
一実施形態によれば、通信接続を確立する段階が実行され得る（Ｓ１４０）。
【０２４４】
一実施形態によれば、ドア操作デバイス１０００は、ユーザ端末２０００と通信接続を確立し得る。
【０２４５】
例えば、通信接続が、ドア操作デバイス１０００のドア通信ユニット１１００とユーザ端末２０００の端末通信ユニット２１００との間で確立され得る。
【０２４６】
一実施形態によれば、ドア操作デバイス１０００のドア通信ユニット１１００及びユーザ端末２０００の端末通信ユニット２１００はＢＬＥ通信モジュールであってよく、ドア操作デバイス１０００とユーザ端末２０００との間の通信接続はＢＬＥ通信接続であってよい。
【０２４７】
ドア操作デバイス１０００は、ユーザ端末２０００との通信を保持し得る。
【０２４８】
一実施形態によれば、ドア操作デバイス１０００は、ユーザ端末２０００が第１エリアＡ１の外に移動するまで通信を保持し得る。
【０２４９】
一実施形態によれば、開放認証情報を送信する段階が実行され得る（Ｓ１７０）。
【０２５０】
一実施形態によれば、ユーザ端末２０００は、開放認証情報をドア操作デバイス１０００に送信し得る。
【０２５１】
一実施形態によれば、ユーザ端末２０００は、ドア操作デバイス１０００からの開放認証情報の送信の要求で、開放認証情報をドア操作デバイス１０００に送信し得る。
【０２５２】
一実施形態によれば、ユーザ端末２０００は、開放認証情報をドア操作デバイス１０００に送信し得る。
【０２５３】
一実施形態によれば、通信接続がドア操作デバイス１０００とユーザ端末２０００との間に確立されているとき、ユーザ端末２０００は、開放認証情報をドア操作デバイス１０００に送信し得る。
【０２５４】
一実施形態によれば、有効性を決定する段階が実行され得る（Ｓ１８０）。
【０２５５】
一実施形態によれば、ドア操作デバイス１０００がユーザ端末２０００から開放認証情報を取得するとき、それは開放認証情報が有効であるか否かを決定し得る。
【０２５６】
開放認証情報が有効であるか否かを決定することは、それ自身の開放認証情報が有効であるか否かを決定すること、開放認証情報に基づいてユーザが有効であるか否かを決定すること、及び、開放認証情報に基づいてユーザ端末２０００が有効であるか否かを決定することを含み得る。
【０２５７】
一実施形態によれば、有効性を決定することは、ドアを開放するか否かを決定する動作であり得る。
【０２５８】
ドア操作デバイス１０００は、開放認証情報に基づいて、有効性を決定し得る。
【０２５９】
ドア操作デバイス１０００は、開放認証情報に含まれる認証情報、ユーザ識別情報、ユーザ端末識別情報、及びパスワードのうちの少なくとも１つに基づいて、有効性を決定し得る。
【０２６０】
一実施形態によれば、ドア操作デバイス１０００は、ドアを開放する権限が割り当てられていることを示す情報が認証情報に含まれているとき、開放認証情報が有効であることを決定し得る。
【０２６１】
一実施形態によれば、ドア操作デバイス１０００は、ユーザ識別情報及び／又はユーザ端末識別情報が予め登録されたユーザ識別情報及び／又はユーザ端末識別情報と一致するとき、開放認証情報が有効であることを決定し得る。
【０２６２】
一実施形態によれば、ドア操作デバイス１０００は、開放認証情報に含まれるパスワードが予め記憶されたパスワードに一致することが決定されるとき、開放認証情報が有効であることを決定し得る。
【０２６３】
一実施形態によれば、開放対象を登録する段階が実行され得る（Ｓ３００）。
【０２６４】
一実施形態によれば、決定の結果として開放認証情報が有効であるとき、ドア操作デバイス１０００は、開放対象を登録し得る。
【０２６５】
例えば、決定の結果として開放認証情報が有効であるとき、ドア操作デバイス１０００は、開放認証情報に含まれるユーザ識別情報及びユーザ端末識別情報のうちの少なくとも１つを開放対象として登録し得る。
【０２６６】
他の例として、決定の結果として開放認証情報が有効であるとき、ドア操作デバイス１０００は、開放認証情報に含まれるユーザ識別情報及び／又はユーザ端末識別情報の状態を、予め定められたアクセス対象リストにおける開放対象として設定し得る。
【０２６７】
一実施形態によれば、ユーザ端末２０００までの距離が第２距離Ｄ２以内であるか否かを決定する段階が実行され得る（Ｓ２５０）。
【０２６８】
一実施形態によれば、ドア操作デバイス１０００は、ドア操作デバイス１０００とユーザ端末２０００との間で確立された通信接続を用いてユーザ端末２０００からデータパケットを取得する時のＲＳＳＩに基づいて、ドア操作デバイス１０００とユーザ端末２０００との間の距離を決定し得る。
【０２６９】
実施形態によるドア操作デバイス１０００は、ＲＳＳＩに基づいて取得したドア操作デバイス１０００とユーザ端末２０００との間の距離が第２距離Ｄ２以内であるか否かを決定し得る。
【０２７０】
例えば、第２距離Ｄ２が１ｍであり、ドア操作デバイス１０００とユーザ端末２０００との間の距離が３０ｃｍであるとき、ドア操作デバイス１０００は、ユーザ端末２０００が第２距離Ｄ２内に配置されていることを決定し得る。
【０２７１】
一実施形態によれば、開放要求情報を送信する段階が実行され得る（Ｓ３１０）。
【０２７２】
一実施形態によれば、ユーザ端末２０００は、ドア操作デバイス１０００からの要求で、開放要求情報を送信し得る。
【０２７３】
一実施形態によれば、ドア操作デバイス１０００とユーザ端末２０００との間の距離が第２距離Ｄ２以内であるとき、ユーザ端末２０００は、開放要求情報をドア操作デバイス１０００に送信し得る。
【０２７４】
開放要求情報は、ドア操作デバイス１０００にドアを開放することを要求するための情報であり得る。
【０２７５】
一実施形態によれば、対象が開放対象であるか否かを決定する段階が実行され得る（Ｓ３２０）。
【０２７６】
ドア操作デバイス１０００は、開放要求情報を送信したユーザ端末２０００及び／又はユーザ端末２０００のユーザが開放対象であるか否かを決定し得る。
【０２７７】
ドア操作デバイス１０００は、開放要求情報を送信したユーザ端末２０００及び／又はユーザ端末２０００のユーザが開放対象に予め含まれているか否かを決定し得る。
【０２７８】
ドア操作デバイス１０００は、開放要求情報を送信したユーザ端末２０００及び／又はユーザ端末２０００のユーザが開放対象を登録する操作Ｓ３００によって開放対象として登録されているか否かを決定し得る。
【０２７９】
一実施形態によれば、ドアを開放する段階が実行され得る（Ｓ１９０）。
【０２８０】
決定の結果としてユーザ端末及び／又はユーザ端末のユーザが開放対象であるとき、ドア操作デバイス１０００は、ドアを開放する制御動作を実行し得る。
【０２８１】
決定の結果としてユーザ端末及び／又はユーザ端末のユーザが開放対象であるとき、ドア操作デバイス１０００は、ドアがアンロックになるように、ドア駆動ユニットを通じて電力を提供し得る。
【０２８２】
図９は、本発明の例示的な実施形態による可変のエリアの変更を示す例示的な図である。
【０２８３】
上述の様々な実施形態において、第１距離Ｄ１及び第２距離Ｄ２は可変であり得る。
【０２８４】
ＲＳＳＩを用いる距離測定において、たとえ電波環境と同一の信号強度であっても、距離は、大気の湿度を含む通信環境に応じて変化し得る。
【０２８５】
例えば、距離測定がＲＳＳＩを用いて実行されるとき、１０ｄＢがエリアＡにおいて１０ｍの距離で測定され得る。一方で、環境に応じて、８ｄＢがエリアＢにおいて１０ｍの距離で測定され得る。
【０２８６】
これに応じて、異なる距離が、通信環境に応じて、実際には、同一の信号強度で取得し得る。
【０２８７】
通信環境が様々なパラメータによって変更され得るので、エラーが最初に設定された信号強度に基づく距離測定で発生する場合がある。
【０２８８】
例えば、１０ｄＢが１０ｍの距離で最初に測定され、したがって、１０ｄＢが第１距離Ｄ１を１０ｍに設定するための第１距離Ｄ１の基準として設定されたとき、８ｍが、環境に応じて、実際には、第１距離Ｄ１として提供される場合がある。
【０２８９】
この問題に対処すべく、ドア操作デバイス１０００及び／又はユーザ端末２０００と通信接続を確立するか否かを決定するための基準ＲＳＳＩ、及び、開放認証情報が送信されるエリアが変更され得る。
【０２９０】
ドア操作デバイス１０００は、いくつかの実施形態による開放認証情報及び／又は開放要求情報が最初に設定された第２距離Ｄ２内で取得されたＲＳＳＩを記憶し得る。
【０２９１】
一実施形態によれば、ドア操作デバイス１０００は、開放認証情報要求がユーザ端末２０００から取得されたＲＳＳＩを取得して記憶し得る。
【０２９２】
一実施形態によれば、ドア操作デバイス１０００は、ドア操作デバイス１０００とユーザ端末２０００との間の距離が第２距離Ｄ２以内であるとドア操作デバイス１０００が決定した時に、ユーザ端末２０００から受信した信号のＲＳＳＩを取得して記憶し得る。
【０２９３】
加えて、ドア操作デバイス１０００は、記憶したＲＳＳＩの間の最大ＲＳＳＩを取得し得る。
【０２９４】
ドア操作デバイス１０００は、最大ＲＳＳＩに基づいて、第２エリアＡ２の基準を変更し得る。
【０２９５】
一実施形態によれば、ドア操作デバイスは、第２エリアＡ２の基準として、予め定められた信号強度の値だけ最大ＲＳＳＩとは異なるＲＳＳＩを設定し得る。
【０２９６】
図９を参照すると、第１時間で取得された第１最大ＲＳＳＩ  ｍａｘ０が−５０ｄＢであるとき、ドア操作デバイス１０００は、第２エリアＡ２の基準を第１ＲＳＳＩ  ｔｈｒ１に設定し得る。第２時間で取得された第２最大ＲＳＳＩ  ｍａｘ１が−５２ｄＢであるとき、ドア操作デバイス１０００は、第２エリアＡ２の基準を第２ＲＳＳＩ  ｔｈｒ２に設定し得る。
【０２９７】
ドア操作デバイス１０００が開放認証情報及び／又は開放認証情報が取得されるＲＳＳＩを記憶し、記憶したＲＳＳＩの間の最大ＲＳＳＩを取得し、取得した最大ＲＳＳＩに基づいて第２エリアＡ２の基準を変更することが説明されているが、実施形態はそれに限定されない。一実施形態において、ユーザ端末２０００は、第２エリアＡ２の基準を変更し得る。
【０２９８】
一実施形態によれば、ユーザ端末２０００は、いくつかの実施形態による開放認証情報が最初に設定された第２距離Ｄ２内で取得されたＲＳＳＩを記憶し得る。
【０２９９】
一実施形態によれば、ユーザ端末２０００は、ドア操作デバイス１０００とユーザ端末２０００との間の距離が第２距離Ｄ２以内であることが決定された時に、ドア操作デバイス１０００から取得した信号のＲＳＳＩを記憶し得る。
【０３００】
ユーザ端末２０００は、いくつかの実施形態による開放認証情報要求が最初に設定された第２距離Ｄ２内で取得されたＲＳＳＩを記憶し得る。
【０３０１】
加えて、ユーザ端末２０００は、記憶したＲＳＳＩの間の最大ＲＳＳＩを取得し得る。
【０３０２】
ユーザ端末２０００は、最大ＲＳＳＩに基づいて、第２エリアＡ２の基準を変更し得る。
【０３０３】
本発明が例示的な実施形態に関連して説明されてきたが、本発明は開示した例示的な実施形態に限定されないことが理解されるべきである。本発明の主旨又は範囲から逸脱することなく上述の本発明の例示的な実施形態に対する様々な変更が行われ得ることが当業者に明らかであろう。したがって、そのような変更が添付の特許請求の範囲の範囲及びその均等物に属するという条件で、本発明がそのような全ての変更をカバーすることが意図される。
【図１】
2021533297.tif 000003
【図２】
2021533297.tif 000004
【図３】
2021533297.tif 000005
【図４】
2021533297.tif 000006
【図５】
2021533297.tif 000007
【図６】
2021533297.tif 000008
【図７】
2021533297.tif 000009
【図８】
2021533297.tif 000010
【図９】
2021533297.tif 000011
【国際調査報告】
2021533297.tif 000012
2021533297.tif 000013
2021533297.tif 000014
2021533297.tif 000015